(57)【要約】
　【目的】　牛の肉片のように水分を含んだ有機物から成る検査用サンプルでも、常温下で腐敗させずに良好な状態で保管することのできる簡便なサンプル収納用パッケージを提供する。
　【構成】　牛の肉片など水分を含んだ有機物から成るサンプルＳを収納するためのパッケージであり、サンプルＳを挟み込むように二枚のシート１Ａ，１Ｂを重ね合わせて形成される袋状のパッケージ本体１と、該パッケージ本体の一端縁に形成される開口部２を閉じるための封止手段とを有する。パッケージ本体１を形成する二枚のシート１Ａ，１Ｂのうち、表面側のシート１Ａはポリプロピレンから成る透明なフィルムであり、裏面側のシート１Ｂは吸水性を有する吸湿紙から成る。又、封止手段はパッケージ本体１に貼り付けられる粘着ラベル４で成り、その表面にはパッケージ本体１内に収納されたサンプルＳを識別するに必要な事項が記される。
【選択図】　図１
0003100478.tif 000002
【実用新案登録請求の範囲】
【請求項１】
　牛の肉片など水分を含んだ有機物から成るサンプルを収納するためのパッケージであり、前記サンプルを挟み込むように二枚のシートを重ね合わせて形成される袋状のパッケージ本体と、該パッケージ本体の一端縁に形成される開口部を閉じるための封止手段とを有し、前記パッケージ本体を形成する二枚のシートの少なくとも一方が吸水性を有する部材から成ることを特徴とするサンプル収納用パッケージ。
【請求項２】
　パッケージ本体を形成する二枚のシートの一方が吸水性を有する吸湿紙、他方が透明なフィルムから成ることを特徴とする請求項１記載のサンプル収納用パッケージ。
【請求項３】
　透明なフィルムがポリプロピレンであることを特徴とする請求項２記載のサンプル収納用パッケージ。
【請求項４】
　封止手段がパッケージ本体に貼り付けられる粘着ラベルで成り、該粘着ラベルの表面にはパッケージ本体内に収納されたサンプルを識別するに必要な事項が記されることを特徴とする請求項１〜３の何れかに記載のサンプル収納用パッケージ。
【考案の詳細な説明】
【技術分野】
【０００１】
　本考案は水分を含んだ有機物から成るサンプルを収納するためのパッケージに係わり、特に牛海綿状脳症(BSE:Bovine Spongifprm Encephalopathy)の感染ルート、並びに生産地などを調べるための検査用サンプルとして、牛の肉片などを収納するためのパッケージに関する。
【背景技術】
【０００２】
　狂牛病とも呼ばれるＢＳＥは、タンパク質の一種である異常プリオンが病原体とされる牛の脳性疾患であり、発症した牛は痙攣、興奮、起立不能などの状態に陥って死に至ることが知られている。ＢＳＥに感染した牛は１９８６年に英国で初めて発見されて以来、欧州各国にも拡大して大きな社会問題とされたが、近年では日本国内においてもＢＳＥに感染した牛が発見され、これに起因して牛肉の消費量が大きく落ち込み、畜産農家や関連業界に莫大な被害を与えた。
【０００３】
　そこで、感染ルートの解明や家畜の履歴を追跡できる制度の検討が進められ、これによってＢＳＥの感染源とされた肉骨粉の輸入や使用が禁止され、死亡牛のＢＳＥ検査など制度的基盤も出来上がった。しかし、ＢＳＥに感染した牛の発見後、牛肉消費の低迷による損害を軽減するために、輸入牛肉を国産牛肉として不正に処理したり、牛の生産地を偽って販売するなどの悪質なケースも発覚した。このため、現在では牛肉の消費量も回復傾向にはあるが、消費者の不信感は完全に払拭されていない状況にある。
【０００４】
　このため、近年では全ての牛について生体検査が義務づけられているほか、牛肉を取り扱う卸売業者や小売店などを対象に、牛肉の生産／流通履歴を正しく表示して販売しているか抜き打ち検査するために、全ての牛の肉片をＤＮＡ（デオキシリボ核酸）鑑定の照合用サンプルとして管理、保管することが検討されている。
【０００５】
　尚、その保管方法などについては公にされていないが、係るサンプルは例えば特許文献１に開示されるような袋体に収納して保管することが想定される。
【０００６】
【特許文献１】特開平７−１３２９４６号公報
【考案の開示】
【考案が解決しようとする課題】
【０００７】
　然し乍ら、牛の肉片のように水分を含んだ有機物は腐敗し易いため、その種のサンプルを特許文献１に開示されるような袋体に収納した場合には、サンプルの腐敗を防止するために冷蔵庫などを利用して低温下での保管が必要となり、保管コストが嵩んでしまうという問題がある。尚、このような問題点を解消するために、サンプルを袋詰めする前に乾燥機などで乾燥することも考えられるが、これには大きな処理コストが必要となるばかりでなく、多くの時間も必要となる。
【０００８】
　又、サンプルを袋詰めしただけでは、係るサンプルの種別などを認識できなくなり、これを防止するべく油性ペンなどを使用して、袋体の表面に内容物を識別可能な必要事項を記入しても、これが摩擦で消えてしまったり、又は改竄される危険性がある。
【０００９】
　本考案は以上のような事情に鑑みて成されたものであり、その目的は牛の肉片のように水分を含んだ有機物から成る検査用サンプルでも、常温下で腐敗させずに良好な状態で保管することのできる簡便なサンプル収納用パッケージを提供することにある。
【課題を解決するための手段】
【００１０】
　本考案は上記目的を達成するため、牛の肉片など水分を含んだ有機物から成るサンプルを収納するためのパッケージであり、前記サンプルを挟み込むように二枚のシートを重ね合わせて形成される袋状のパッケージ本体と、該パッケージ本体の一端縁に形成される開口部を閉じるための封止手段とを有し、前記パッケージ本体を形成する二枚のシートの少なくとも一方が吸水性を有する部材から成ることを特徴とする。
【００１１】
　特に、パッケージ本体を形成する二枚のシートの一方が吸水性を有する吸湿紙、他方が透明なフィルムから成り、しかも透明なフィルムがポリプロピレンであることを特徴とする。
【００１２】
　又、封止手段がパッケージ本体に貼り付けられる粘着ラベルで成り、該粘着ラベルの表面にはパッケージ本体内に収納されたサンプルを識別するに必要な事項が記されることを特徴とする。
【考案の効果】
【００１３】
　本考案によれば、パッケージ本体を形成する二枚のシートの少なくとも一方が吸水性を有する部材で成ることから、パッケージ本体内に収納されるサンプルが牛の肉片のように水分を含んだ有機物でも、その水分が吸収されてサンプルが速やかに乾燥する。このため、サンプルを腐敗させる事なく、これを常温下で長期に亙って保管することができる。
【００１４】
　特に、一方のシートが吸水性を有する吸湿紙で成ることから材料費が掛からず、しかも他方のシートが透明なフィルムで成ることからサンプルの有無を外部から視認できる上、保管中にもサンプルの状態を確認しながら適正な管理をすることができる。
【００１５】
　又、透明なフィルムがポリプロピレンであることから、焼却時にダイオキシンを発生せず、使用後の処分が容易である。
【００１６】
　更に、パッケージ本体の開口部を閉じる封止手段が粘着ラベルで成ることから、粘着ラベルを剥離してパッケージ本体を開封することが難しく、このためパッケージ本体を不正に開封してサンプルの入れ換えを行ってもパッケージ本体や粘着ラベルの破損などによって不正行為を容易に看破することができ、しかも粘着ラベルにはパッケージ本体内に収納されたサンプルを識別するに必要な事項が記されることから、サンプルの母集団を特定したり、サンプルと市販品のＤＮＡを照合するなどして市販品に流通履歴などが正しく表示されているかを厳格に検査することができる。
【考案を実施するための最良の形態】
【００１７】
　以下、本考案を図面に基づいて詳しく説明する。図１は係るサンプル収納用パッケージの使用態様を示した正面図、図２は同パッケージの背面図であり、図３には図１におけるＸ−Ｘ線断面を示す。これらの図において、１はパッケージ本体であり、このパッケージ本体１は、二枚のシート１Ａ，１Ｂを重ね合わせて成る矩形状（本例において、７０mm×８０mm）をした偏平な袋であり、その一端縁はサンプルを投入するための開口部２として開口され、他の周縁はシール部３として閉じられている。
【００１８】
　特に、パッケージ本体を形成する二枚のシート１Ａ，１Ｂのうち、表面側のシート１Ａは、パッケージ本体１内に収納されたサンプル（内容物）を視認できるよう透明なフィルムとされる。係るシート１Ａにはポリプロピレン、ポリエチレン、ポリスチレン、ナイロン、ポリウレタン、ＥＶＯＨ、ＰＶＣ、又はポリ塩化ビニルといったプラスチックフィルムを好適に用いることができるが、特にポリプロピレンなどのように塩素を含まないものを利用することが望ましい。これによれば、使用後の焼却処理に際してダイオキシンの生成を抑制することができる。
【００１９】
　一方、裏面側のシート１Ｂは吸水性を有する部材から成る。係るシート１Ｂは木材パルプをはじめとする植物繊維ほか、ビスコースレーヨン、セルロースアセテート、合成繊維、又は合成高分子などを漉いて得られる吸水性の紙（吸湿紙）で成り、これにはミツマタやコウゾなどの靭皮繊維を原料とする和紙、又は木材パルプや綿ぼろパルプなどを原料とする洋紙を好適に用いることができる。尚、吸水性の部材から成るシート１Ｂとして、上記のような吸湿紙ほか、ポリエステル繊維などを原料とする不織布、若しくは綿や麻などの織布を用いることもできる。
【００２０】
　ここに、パッケージ本体１は以上のようなシート１Ａ，１Ｂを重ね合わせ、その一端縁を開口部２として残し、他の周縁（シール部３）をヒートシール、縫合、あるいは接着剤により接着するなどして偏平な袋状とされる。そして、そのパッケージ本体１内には、図３のように水分を含む有機物から成るサンプルＳ（例えば、牛の肉片）が二枚のシート１Ａ，１Ｂに挟まれる状態で収納され、その収納後には封止手段としての粘着ラベル４により開口部２が閉じられる。
【００２１】
　係る粘着ラベル４は、裏面に粘着層を形成する貼り紙であり、その表面にはパッケージ本体１内に収納されたサンプルＳを識別するに必要な事項として、サンプルＳとした牛の肉片の採取日、当該牛の屠畜日、及びサンプル数ほか、当該牛の生産地や流通経路などを表すバーコードが記される。
【００２２】
　そして、その粘着ラベル４はパッケージ本体１内にサンプルＳを収納した後、パッケージ本体１に貼り付けられる。特に、粘着ラベル４はその大部分が表面側のシート１Ａ上に貼り付けられ、その一端部がパッケージ本体１の開口部２を跨いで裏面側のシート１Ｂ上に貼り付けられる。
【００２３】
　但し、シート１Ａ上には粘着ラベル４により覆われない透明な領域を残し、その領域からサンプルＳが表れるようにすることが望ましい。これによれば、サンプルＳの保管中にその状態を開封せずして視認できる。しかも、粘着ラベル４の大部分をパッケージ本体１の表面側に貼り付けることにより、裏面側のシート１Ｂの吸水性を損なわず、当該シート１Ｂにより吸収されたサンプルの水分を外部に放出することができる。このため、多量の水分を含むサンプルでも短期間で乾燥が促進し、常温下において腐敗し難く、その保管性が大幅に向上する。
【００２４】
　次に、本考案に係るサンプル収納用パッケージの作用を説明すれば、係るパッケージは牛肉をはじめとする食品の安全性を確保するための検査業務の一貫として役立てられる。
例えば、牛肉を取り扱う卸売業者や小売店などを対象に牛肉の生産／流通履歴が正しく表示されているか否かを調べるため、牛の肉片をＤＮＡ鑑定の照合用として管理、保存するのに用いられる。
【００２５】
　これには、検査用のサンプルとして牛の肉片や内臓の一部を切除し、これをパッケージ本体１内に収納する。係るサンプルを収納するには、図４のようにパッケージ本体１の開口部２を開いてサンプルＳを投入した後、そのパッケージ本体１にサンプルの採取日や屠畜日などの必要事項を記した粘着ラベル４を貼り、次いで粘着ラベル４の一端部を図５の矢印で示すようにパッケージ本体１の裏側に折り返して開口部２を封鎖する。
【００２６】
　而して、サンプルの抜き取りや入れ換えは防止され、当該サンプルに含まれる水分は吸水性を有するシート１Ｂに毛細管作用で吸収されつつ、そのシート１Ｂを介して外部に放出される。この結果、サンプルＳは早期に乾燥し、低温下で保存せずしてこれを長期に亙って良好な状態に保つことができる。
【００２７】
　又、サンプルのＤＮＡなどを分析する場合などには、粘着ラベル４を引き裂くか、若しくはパッケージ本体１の一端縁を切断することにより、その内部からサンプルＳを容易に取り出すことができる。
【００２８】
　以上、本考案の適用例を説明したが、係るサンプル収納用パッケージは上記例に限らず、例えばサンプルとして牛肉のみならず、他の家畜をはじめとする動物の肉片や内臓の一部、あるいは含水量の高い加工食品などの収納にも好適に用いることができる。
【００２９】
　又、上記例では、パッケージ本体１の表面側のシート１Ａを透明なフィルムとし、裏面側のシート１Ｂを吸水性の部材としたが、表裏双方のシート１Ａ，１Ｂを吸水性を有する部材としてもよい。これには、吸湿紙を偏平な筒状に折り畳み、その一端縁を開口部として残し、他の一端縁を糊付けするなどして封鎖するか、又は透明なフィルムを吸水性材料で形成したり、その原料にグリコールなどの高吸水性物質を添加することなどが考えられる。
【００３０】
　更に、上記例ではパッケージ本体１の開口部２を閉じる封止手段に粘着ラベル４を用いたが、係る封止手段として粘着ラベル４とは別の封緘紙を用いたり、あるいは図６のようにパッケージ本体１の開口部２側で一方のシート１Ａに突片５を形成し、その裏面若しくはこれに対向する他方のシート１Ｂの部位に図示せぬ剥離紙で覆われる粘着層６を設けるようにしても良い。
【図面の簡単な説明】
【００３１】
【図１】本考案に係るサンプル収納用パッケージの正面図
【図２】同パッケージの裏面図
【図３】図１のＸ−Ｘ線における拡大断面図
【図４】パッケージ本体内にサンプルを収納する状態を示した説明図
【図５】パッケージ本体の開口部を閉じる状態を示した説明図
【図６】封止手段の変更例を示した説明図
【符号の説明】
【００３２】
　　　１　パッケージ本体
　　　１Ａ　シート（透明なフィルム）
　　　１Ｂ　シート（吸湿紙）
　　　２　開口部
　　　３　シール部
　　　４　粘着ラベル
【図１】
0003100478.tif 000003
【図２】
0003100478.tif 000004
【図３】
0003100478.tif 000005
【図４】
0003100478.tif 000006
【図５】
0003100478.tif 000007
【図６】
0003100478.tif 000008